(57)【要約】【課題】心室細動、微細な心室細動、又は不全収縮の持続性エピソード中に心臓を蘇生させる装置を提供する。【解決手段】心室細動、微細な心室細動、又は持続性不全収縮中に心臓を蘇生させる装置は、心臓の心筋低酸素状態を緩和するのに適した時間間隔の間、循環補助を送出する手段と、前記心臓の心筋の少なくとも一部分を脱分極させることが可能な一連の治療電気パルスを送出する手段と、を備える。循環補助は、たとえば、心肺蘇生（ＣＰＲ）の形態で、手動で送出されてもよく、又は、たとえば、膜型人工肺、埋め込み可能心室補助デバイスの作動、又は自動化されたＣＰＲ機器等の形態で、機械化されてもよい。本装置は、一連のペーシングクラスパルス又はディフィブリレーションクラスパルスを送出可能な、外部又は埋め込み可能心臓電気刺激デバイス及び関連する電極と共に実施できる。【選択図】図１
2007503257.tif 000002
【特許請求の範囲】
【請求項１】
心室細動、微細な心室細動、又は持続性不全収縮エピソード中に心臓を蘇生させる方法であって、
心臓の心筋低酸素状態を緩和するのに適した時間間隔の間、循環補助を送出すること、及び、
前記心臓の心筋の少なくとも一部分を脱分極させることが可能な一連の治療電気パルスを送出すること、
を含む心臓を蘇生させる方法。
【請求項２】
前記送出するステップは、
心肺蘇生を手動で送出すること、患者に結合した装置を介して体外酸素加循環補助を送出すること、前記患者の血管系の一部分に流体結合した埋め込み可能心室補助デバイスを作動すること、及び前記患者に結合した自動化された心肺蘇生装置を作動させることのうちの少なくとも１つを含む、請求項１に記載の心臓を蘇生させる方法。
【請求項３】
前記心肺蘇生を手動で送出するステップは、信号による胸部圧迫を始動することをさらに含む、請求項２に記載の心臓を蘇生させる方法。
【請求項４】
前記信号は、可聴信号、触覚信号、視覚信号のうちの少なくとも１つを含む、請求項３に記載の心臓を蘇生させる方法。
【請求項５】
周期的な手動圧迫始動信号は、埋め込み可能パルス発生器から外部デバイスへ無線で供給され、該外部デバイスは、患者を手動で蘇生させようと試みる人に前記信号を伝達する、請求項４に記載の心臓を蘇生させる方法。
【請求項６】
前記一連の治療電気パルスはペーシングクラスパルスを含む、請求項１に記載の心臓を蘇生させる方法。
【請求項７】
前記ペーシングクラスパルスの一部は、少なくとも１つの共通特性を有し、該共通特性は、パルス幅特性、極性特性、パルスエネルギー、パルス振幅を含む、請求項６に記載の心臓を蘇生させる方法。
【請求項８】
前記一連の治療電気パルスは、以下の電極、すなわち、心臓内電極、心外膜電極、皮下電極、筋肉下電極のうちの少なくとも１つを通して伝導する、請求項１に記載の心臓を蘇生させる方法。
【請求項９】
臨床医がテレメトリプログラミングデバイスを動作させること、致死の可能性のある不整脈の検出、機械的センサ、外部ディフィブリレータによる不整脈の検出、直前のディフィブリレーションの試みが不成功に終わることの検出、比較的低い心拍数、比較的低い心拍出量状態、比較的低い飽和酸素状態のうちの少なくとも１つによって誘発される、請求項１に記載の心臓を蘇生させる方法。
【請求項１０】
前記機械的センサは、結合されて心臓活動を検知するようになっている加速度計、結合されて心臓活動を検知するようになっている圧力センサ、結合されて心臓活動を検知するようになっているインピーダンスベースのセンサのうちの少なくとも１つを備える、請求項９に記載の心臓を蘇生させる方法。
【請求項１１】
前記循環補助の前記送出に関連するか、又は、前記一連の治療電気パルスの前記送出に関連する１つ又は複数のパラメータを表示することをさらに含む、請求項１に記載の心臓を蘇生させる方法。
【請求項１２】
心臓を蘇生させるための方法であって、
患者に心肺蘇生を提供すること、及び、
前記患者の心筋の少なくとも一部分を脱分極させることが可能な一連の電気パルスを印加することを含む、心臓を蘇生させるための方法。
【請求項１３】
心室細動、微細な心室細動、又は持続性不全収縮中に心臓を蘇生させる装置であって、
心臓の心筋低酸素状態を緩和するのに適した時間間隔の間、循環補助を送出する手段と、
前記心臓の心筋の少なくとも一部分を脱分極させることが可能な一連の治療電気パルスを送出する手段と、
を備える、心臓を蘇生させる装置。
【請求項１４】
心室細動状態、微細な心室細動状態、又は持続性不全収縮状態の結果として送出される高電圧ディフィブリレーション治療が不成功に終わることに続いて心臓を蘇生させる装置であって、
心臓の少なくとも一部分の心筋低酸素状態を緩和するために、所定の時間間隔の間、循環補助を送出する手段と、
前記心臓の心筋の少なくとも一部分を脱分極させることが可能な一連の治療電気パルスを送出する手段と、
を備える、心臓を蘇生させる装置。
【請求項１５】
心臓を蘇生させる方法を実施するためのコンピュータ読み取り可能媒体であって、
心臓の心筋低酸素状態を緩和するのに適した時間間隔の間、循環補助を送出する命令と、
前記心臓の心筋の少なくとも一部分を脱分極させることが可能な一連の治療電気パルスを送出する命令と、
を含む、コンピュータ読み取り可能媒体。
【発明の詳細な説明】
【技術分野】
【０００１】
本発明は、包括的に、心臓蘇生の分野に関し、特に、循環補助（circulatory assistance or support）と一連の脱分極用の心臓刺激パルスとを組み合わせたものを送出することによって、長期間の不全収縮又は不全収縮に近いものが生じた後に心臓活動を回復させる方法および装置に関する。
【背景技術】
【０００２】
突然心臓死（ＳＣＤ）は、毎年、米国で推定４００，０００〜４５０，０００人の生命を奪い、若い成人の間でのＳＣＤの発生率は増加している。ＳＣＤは通常、不整脈又は冠状動脈疾患によって引き起こされる。ＳＣＤには予期せず起こるという性質があるため、ＳＣＤを防止することは難しく、またＳＣＤは心臓関連死の大部分についての考えられる原因であり続けている。
【０００３】
心室頻脈（ＶＴ）又は心室細動（ＶＦ）は、ＳＣＤより前に起こることが多い。細動開始の初期の１分以内に送出されるディフィブリレーションショックは、死を防止し、正常心調律を回復させるのに非常に有効であり得る。不整脈の傾向を有すると診断された患者は、不整脈の開始後に、生命を救う電気刺激治療を迅速に供給する埋め込み可能カーディオバータ−ディフィブリレータから利益を受けることができる。
【０００４】
しかしながら、ＳＣＤについての患者のリスクは、最初の不整脈エピソードの前にはわかっていないことが多く、迅速に処置されなければ、致命的であることが多い。心肺蘇生（ＣＰＲ）だけを使用して心停止から首尾よく蘇生させる可能性は非常に低い。病院においてＣＰＲで処置された患者のほんの１〜２％しか退院しない。ＣＰＲだけでは、一般に、ＶＦを洞調律に変換しないが、ＶＦを終了させるために外部ディフィブリレーションショックが送出されたとしても、結果として、電気機械解離（ＥＭＤ）とも呼ばれる不全収縮又は無脈性電気活動（ＰＥＡ）となることが多い。ディフィブリレーションショックの送出の成功率は、ＶＦの開始に続く最初の２〜３分にわたって劇的に減少する。V. DeMaio等による「Optimal Defibrillation Response Intervals for Maximum Out-of-hospital Cardiac Arrest Survival Rates」という題名の、August 2003 Annals of Emergency Medicine Volume 42, p242-250を参照されたい。４分以内にその場に緊急対応要員が到着する可能性が小さいため、既存の技法を使用して首尾よく蘇生を行う確率は低い。１５分以内にその場に緊急対応要員が到着する確率は良好である。そのため、長期のＶＦ、微細なＶＦ、又は不全収縮の後に、洞調律へ首尾よく転換することを可能にする、新しい心臓蘇生技法が必要とされている。
【０００５】
現行の方法を使用した首尾よい蘇生の比率を制限するＶＦの結果は、ＶＦ中に灌流が損傷を受けることによって生じる低酸素である。正常な心機能の間、心筋繊維の収縮は、カルシウムがカルシウムチャネル（Ｌタイプチャネル）を介して細胞に入る時に起こる。カルシウムは、細胞膜が通過する活動電位によって脱分極して、Ｌタイプチャネルを介してカルシウムに対する浸透性を増加させる時に、細胞に入る。カルシウムが細胞に入ることによって、筋小胞体（ＳＲ）からリアノジンチャネルを通して筋形質内へカルシウムがさらに放出される。この「カルシウム誘発式カルシウム放出」は、筋形質カルシウム濃度を増加させ、それによって、カルシウムが筋フィラメントと相互作用して、筋フィラメントの機械的サイクリング及び筋節短縮化をもたらす。
【０００６】
カルシウムは、作動するのに細胞燃料アデノシン三リン酸（ＡＴＰ）を必要とするとともに、「筋小胞体又は小胞体カルシウムＡＴＰａｓｅｓ」（又は、「ＳＥＲＣＡ」）として知られる、細胞内カルシウムポンプを介してＳＲ内に再び貯留される。特に弛緩中における筋フィラメントサイクリングも、ＡＴＰを必要とする。これらの動作は共に、ＡＴＰの生成に酸素が必要とされるため、結果として低酸素によって影響を受ける。細動中、心臓の低灌流は、結果として低酸素及び細胞機能にとって利用可能なＡＴＰの不足をもたらす。ＶＦ、不全収縮、又は不全収縮に近いエピソードが数分間持続すると、低酸素状態が深刻になり、外部ディフィブリレーションの試みが首尾よく行われるのを妨げる制限要素になる。
【０００７】
しかしながら、他のメカニズムが重要な役割を果たす場合がある。通常カルシウム誘発式カルシウム放出中にＳＲからカルシウムを放出するリアノジンカルシウムチャネルは、「漏れやすい」、すなわち、一部のカルシウムが、カルシウム誘発式カルシウム放出メカニズムが無い状態でＳＲから放出される。通常、ＳＲカルシウム貯蔵は、Ｌタイプチャネルを通って細胞に入るカルシウムを介して、また、ＳＥＲＣＡを介して筋形質からカルシウムのＳＲ再摂取を行うことによって、各心周期中に補給される。活動電位の一定のシーケンスが無い状態で、ＳＲカルシウム貯蔵は、カルシウムがＳＲから漏出するにつれて減少し得、また、細胞の正常安静電位を維持するナトリウム−カルシウムイオンチャネルによって細胞から取り除かれる。結果として、この「漏れた」カルシウムは、次の活動電位に関する筋節短縮化に寄与するために利用可能でなくなる。
【０００８】
過去には、このＳＲカルシウム漏れは、取るに足らないものであると考えられた。しかしながら、最近の研究は、このカルシウム漏れがかなり多量である可能性があることを示唆している。多量である場合、心機能が、細動中に少なくとも２つのメカニズムによって次第に低下すると理論付けることができる。第１に、循環の実効的な喪失から起こる不十分な心筋灌流による低酸素は、筋フィラメントサイクリング及びＳＥＲＣＡを介したＳＲカルシウム摂取に利用可能なＡＴＰを減少させる。第２に、カルシウム漏れによるＳＲカルシウム消耗は、十分な細胞脱分極及びＳＲカルシウム貯蔵に補給するＳＥＲＣＡ活動の欠如により重大なものになり、それによって、筋フィラメントサイクリングに利用可能なカルシウムが減少する。そのため、累積的なＡＴＰ喪失及びＳＲカルシウム消耗は共に、心停止に続く最初の３〜５分の間に機能の喪失を悪化させる一因となる場合があり、既知の技法を用いて蘇生を成功させる妨げとなる。
【０００９】
ディフィブリレーションが有効であり得る最大３〜５分の時間の経過に理論的に対応する、ＳＲカルシウム貯蔵がそれほど消耗していない時、ディフィブリレーション単独で心拍動を回復する場合がある。単一の高電圧ディフィブリレーションショックは、大きな心筋容積を脱分極して、カルシウム内への流入を可能にするように働き、続いて、ＡＴＰ保存物がまだ消耗していない場合、正常心周期プロセスを再生することができるカルシウム処理サイクルが生成される。しかしながら、ＳＲカルシウム貯蔵がかなり消耗している場合、細胞脱分極が繰り返されることによってのみ起こる、Ｌタイプチャネルを通した細胞外カルシウム流入の寄与の無い状態でＳＲカルシウム喪失を回復するのに、ディフィブリレーション単独では十分でない場合がある。低酸素が始まった場合、ＡＴＰは、筋フィラメント及びＳＥＲＣＡに利用可能でなくなる。多くの最新の出版物は、ショック送出前にＣＰＲが施行されることの重要性を強調してきた。４分より長い時間にわたって細動が存在した時に、ショックの送出前に送出される１分間のＣＰＲが、即座に行われるディフィブリレーションに比べてよりよい生存率をもたらしたと報告されている。
【００１０】
しかしながら、ＣＰＲが施行されたとしても、個々のディフィブリレーションショックは、通常、長期の細動又は不全収縮エピソードの後では洞調律を回復しない。単一の脱分極ショックは、単一脱分極中に起こるカルシウム流入が、正常ＳＲカルシウム濃度を回復するのに不十分である場合があるため、細胞のカルシウム処理サイクリングを回復するのに適当でない場合がある。経皮的ディフィブリレーション治療の開発における初期の研究は、一連のショックは、単一の高エネルギーショックより効果があると報告した。或る調査では、最初のショックが完全にディフィブリレーションするのに失敗した場合、一連のショックが一律に成功した。一連の脱分極は、ＳＲ貯留のために細胞内カルシウムを利用可能にする脱分極シーケンスの相加効果によって、正常ＳＲカルシウム濃度を回復させるのに必要である場合がある。
【００１１】
ディフィブリレーション調査における早期の観測結果にもかかわらず、その後の研究は、主として、埋め込み可能ディフィブリレーションデバイスにおいて現在実施されている単一ショックディフィブリレーションに焦点を当てた。単一ショックディフィブリレーションは、一連のショックより少ないエネルギーを必要とし、したがって、埋め込み可能デバイスで実施するのにより適している。最終的には、単一ショックディフィブリレーションは、埋め込み可能デバイスで利用可能な不整脈検出アルゴリズムによる、開始の数秒以内における細動検出のシナリオで有効であることがわかった。
【００１２】
心臓不整脈の処置中における複数パルスの使用は、何人かの患者で提案された。心臓をディフィブリレーションするのに不十分な第１の処置波形と心臓をディフィブリレーションする第２の処置波形とを含む、細動する心臓に苦しむ被験者におけるディフィブリレーションを行った後に、無脈性電気活動（ＰＥＡ）の開始の可能性を減らす方法は、Walcott他に対する米国特許出願公開第２００２／０１６１４０７号にその全体が開示されている。複数の密接な間隔のディフィブリレーションパルスを心臓に送出するシステム及び方法は、Kroll他に発行された米国特許第５，６２０，４６４号に全体が開示され、パルス送出用の主エネルギー送出コンデンサの全体サイズを減らす。前処置後に印加されるディフィブリレーション波形が、通常であれば必要とされることになるエネルギーより少ないエネルギーで自身のタスクを達成することができるように、無秩序に収縮する心筋細胞の活動を編成するプロセスを始める、細動する心臓に電気的前処置を適用するためのプロセスは、Kroll他に発行された米国特許第５，３１４，４４８号にその全体が開示されている。Kroll他に発行された米国特許第６，３１４，３１９号では、心臓細胞を刺激し、細動中に収縮が強制的に血行力学的出力を出すようにさせ、頻脈又は不全収縮を血行力学的に低下させる電気的方法は、「Electrical Cardiac output Forcing」として参照される方法にその全体が開示されている。
【００１３】
血流を回復するために心臓を処置する方法であって、心室頻脈性不整脈又は心室細動の終了後に電気機械解離が起こり、方法は、心室頻脈性不整脈又は細動の終了後に電気機械解離を識別すること、及び、電気的治療を提供することを含み、治療は電気パルスの一連のパケットを含む、方法は、Rosborough及びDenoに発行されたＷＯ００／６６２２２にその全体が開示されている。一連のパルスパケットは、心室頻脈性不整脈又は細動が終了し、且つ、電気機械解離が検出された後に送出される。
【発明の開示】
【発明が解決しようとする課題】
【００１４】
しかしながら、心室細動又は不全収縮の長期エピソード後の心臓蘇生の問題に対処する必要性が残っており、長期エピソード後には、低酸素の深刻さが、心臓をディフィブリレーションする方法に基づく電気刺激の成功を制限するのに重要な役割を果たす。長期の、たとえば、１〜２分を超える細動又は不全収縮のシナリオでは、本発明の発明者等は、低酸素と徐々に生じるＳＲカルシウム喪失の両方が、単一ショックディフィブリレーションの成功率が低いことの一因であることを提唱する。したがって、心臓蘇生の成功を改善するために、蘇生方法は、低酸素及び細胞内カルシウム喪失に対処しなければならない。したがって、電気刺激を繰り返し送出することにより、より多くのカルシウムをポンプに利用可能にすると考えられるため、ＡＴＰをＡＴＰに依存するカルシウムポンプにとって利用可能になるようにし、ＳＲカルシウム貯蔵の規格化を可能にするために、低酸素を緩和するメカニズムを含む蘇生方法が必要とされる。
【課題を解決するための手段】
【００１５】
本発明は、特に、ＶＦ、微細なＶＦ、又は不全収縮の長期エピソード後に心臓蘇生を実施するシステム及び方法を提供することを対象とする。本発明は、手動又は自動で送出されるＣＰＲ又は他の灌流又は血行力学的な補助の形態であり得る循環補助を提供すること、及び、所定の期間の循環補助後に一連の心臓脱分極を誘発することを含むシステム及び方法において達成される。一実施形態では、一連の心臓脱分極は、或る質量の心筋細胞を脱分極させるパルスエネルギーで送出される電気刺激パルスによって誘発される。したがって、パルス列は、本明細書で「ペーシングクラスパルス」と呼ばれる心臓ペーシングパルスに通常関連するエネルギー等の、比較的低いエネルギーのパルス、および／または、本明細書で「ディフィブリレーションクラスパルス」と呼ばれるディフィブリレーションショックに通常関連する比較的高いエネルギーのパルスを含んでもよい。一連の心臓刺激パルスは、所定の時間間隔又は複数のパルスにわたって、一定又は可変レート及び一定又は可変振幅で送出されてもよい。一実施形態では、一連の刺激パルスは、列の最後の刺激パルスに続く指定された間隔の高電圧ディフィブリレーションショックで終了する。
【００１６】
蘇生治療の電気刺激部分を送出する装置は、心臓刺激パルスを経皮的又は食道的に送出する、外部刺激デバイス及び関連する電極のセットとして具体化されてもよい。別法として、心臓刺激パルスを送出する装置は、心臓内電極、心外膜電極、又は、皮下に若しくは筋肉下に設置される電極を介して心臓刺激パルスを送出することが可能な埋め込み可能心臓刺激デバイス及び電極システムとして具体化されてもよい。プログラム可能な埋め込み可能デバイスでは、本発明によって提供される蘇生方法を、選択可能な不整脈治療のメニューに含めてもよい。
【００１７】
他の実施形態では、心臓刺激デバイスはさらに、心臓蘇生に続いて心拍出量を改善するために提供される心臓刺激治療を含む。一実施形態では、心臓刺激デバイスは、期外収縮後増強(potentiation)の機械的利益を達成するために送出される、期外収縮刺激パルスを提供することを含む。
【００１８】
さらに別の実施形態では、循環補助の送出に関連する信号を生成することができる生理的センサがシステムに含まれる。センサは、血中酸素飽和度（ＳａＯ２）、又は、乳酸塩又は過酸化水素、ｐＨ又は低酸素の程度を直接若しくは間接に指示する他の代謝パラメータ等の、したがって、代理物のセンサとして提供されてもよい。代替の実施形態では、センサは、血圧センサ、加速度計、又は、ＣＰＲ中に送出される胸部圧迫に敏感な機械的センサ等の、循環補助の存在に関連する信号を生成する機械的センサとして提供されてもよい。センサ信号は、蘇生治療の電気刺激部分を始動するのに適切な時間を決定する時に使用するための、循環補助の存在及び持続時間を自動的に検出する埋め込み可能刺激デバイスによって使用されてもよい。
【発明を実施するための最良の形態】
【００１９】
図１は、ＶＦ、微細なＶＦ、又は不全収縮の長期エピソード後に心臓蘇生治療を送出する方法の概略図である。本明細書で使用されるように、ＶＦは、ＥＣＧ監視機器上で通常容易に観測可能である比較的高振幅の細動波としてＥＣＧ上に現れる粗大なＶＦ(coarse VF)のことを指す。「微細なＶＦ(fine VF）」は、一部のＥＣＧ監視機器上で観測可能でない場合がある比較的低振幅の細動波の存在を指す。本明細書で使用される「不全収縮」という用語は、電気活動が全く無いこと、及び、電気活動は存在するが、１分当たり約１０脱分極以下の非常に低いレートである、「徐脈不全収縮」と呼ばれることがある活動のことを指す。
【００２０】
本方法は、ＣＰＲで使用される外部胸部圧迫の形態であり得る循環補助５２を送出することを含む。患者５０は、ＶＦ、微細なＶＦ、又は不全収縮の長期エピソード中に、低酸素を防止又は緩和するために循環補助５２が与えられることが好ましい。低酸素を防止又は緩和することによって、ＡＴＰが、ＳＥＲＣＡ及び他の細胞機能にとって利用可能になると考えられる。さらに、脳の灌流を維持することは、首尾よく心臓を蘇生させる際に非可逆的大脳損傷を回避するために、長期のＶＦ、微細なＶＦ、又は不全収縮中に特に重要である。
【００２１】
胸部圧迫は、緊急対応要員によって手動で、又は、自動化された蘇生機器を使用して自動的に送出されてもよい。患者５０が自発的に呼吸していない場合、換気補助もまた必要とされる場合がある。換気５４は、既知のＣＰＲ技法に従って、手動で、又は、換気装置を使用して送出されてもよい。患者のいる位置、現場で利用可能な機器、及び緊急対応要員の技量に応じて、換気装置５４のタイプ及び適用される循環補助５２が変わる場合がある。たとえば、病院すなわち緊急救命室の環境では、患者は、換気装置の上に設置され、手動又は自動の胸部圧迫を受けることができる。手術の環境では、直接心臓マッサージが循環補助のために提供されてもよく、又は、大動脈内バルーンポンプ又は膜型人工肺（ＥＣＭＯ）等の、別のタイプの循環補助メカニズムが、適所に置かれてもよい。病院外の環境では、手動ＣＰＲが、利用可能な唯一の循環補助である場合がある。
【００２２】
蘇生方法は、図１に示す実施形態では、外部電気刺激デバイスである５６を使用した心臓刺激パルスの送出をさらに含む。刺激装置５６は、リード線５８及び電極６０の関連するセットを介して心臓電気刺激パルスを送出する。電極６０は、経皮的心臓刺激を行うために、胴の上、概して胸郭エリア内に通常設置される皮膚電極として設けることができる。図示された電極６０の位置は、例示に過ぎず、電極６０の代替の位置が、心臓刺激パルスを送出するのに使用されてもよい。電極６０は、別法として、心臓を刺激するために、経皮的に又は食道に設置するようになっていてもよい。術中心臓蘇生用途の場合、電極６０は、心臓の表面上に直に設置することができる心外膜電極の形態をとってもよい。心臓電気刺激を侵襲的又は無侵襲的に適用するための既知の他のタイプの電極は、本発明を実施する時に、心臓刺激パルスを送出するために利用されてもよい。
【００２３】
刺激装置５６は、リード線５８をパルス発生出力回路６２に結合するインタフェース６４を含む。出力回路６２は、高電圧ディフィブリレーションクラスショックパルスを送出する高電圧出力回路部、および／または、低電圧ペーシングクラスパルスを送出する低電圧出力回路を含んでもよい。外部ディフィブリレータで使用するための高エネルギー出力回路は、Sullivan他に発行された米国特許第５，８２４，０１７号（参照によりその全体が本明細書に援用される）にその全体が記載されている。刺激装置５６は、電池駆動式デバイスであってもよく、別法として、又は、付加的に、壁ソケットへの接続を可能にする、適切な電気遮蔽を有するＤＣ入力を含んでもよい。
【００２４】
基本の実施形態では、刺激装置５６によって送出される電気刺激パルスのレート、パルスエネルギー、パルス形状、及び他の特徴は、一定であり、ユーザインタフェース６６を介して刺激装置５６をイネーブルするか又は可能にすることによって、出力回路６２によって送出される。代替の実施形態では、心臓電気刺激パルス列の送出を制御するパラメータは、出力回路６２に結合したユーザインタフェース６６を介して緊急対応要員によって設定されてもよい。限定はしないが、パルス列のパルスエネルギー、パスル振幅、パルス幅、パルスレート、および／または持続時間を含む種々の出力パラメータは、ユーザインタフェース６６を使用して緊急対応要員によって設定されてもよい。
【００２５】
図２は、図１の心臓刺激デバイスの一実施形態の機能ブロック図である。この実施形態では、刺激装置５６は、患者のＥＣＧを監視する検知回路７０を含む外部刺激デバイスである。検知回路７０は、電極６０からのＥＣＧ信号を受け取るリード線インタフェース６４に結合される。ＥＣＧ信号は、緊急対応要員が閲覧するためにディスプレイ６８上に視覚的に表示されてもよく、および／または、心臓活動の存在を検出して心調律を分類するために外部刺激装置５６によって使用されてもよい。こうした情報は、刺激パルスパラメータを選択し、脱分極刺激パルス列が始動される時間を制御するために刺激装置５６によって使用されてもよい。刺激装置５６は、Taylor他に発行された米国特許第６，３０４，７７３号（参照によりその全体が本明細書に援用される）にその全体が開示されている不全収縮検出能力を備えてもよい。心臓刺激又は監視デバイスで使用するために知られている他の調律検出及び分類アルゴリズムは、心臓活動を検出して分類するために、また、長期のＶＦ、微細なＶＦ、又は不全収縮の検出に基づいて蘇生治療を推奨する時に、および／または、自動的に選択する時に実施されてもよい。
【００２６】
ディスプレイ６８は、心臓の電気活動に関連する視覚信号又は音声信号を含んでもよい。一連の脱分極刺激の送出中又は送出後に、脱分極は、内因性であれ誘発性であれ、最初、機械的に弱い収縮を伴うと予想される。弱い収縮は、後続の脱分極に従って強度が増大することになる。胸部又は心臓の圧迫を弱い心拍動と同期させることによって、血行力学的利益が提供される場合がある。したがって、検知回路７０によって検知される脱分極によって、マイクロプロセッサ７２の制御下で、ディスプレイ６８が、緊急対応要員によって知覚可能な信号を生成することができる。この信号は、心臓脱分極の発生又は手動ＣＰＲの送出のための他のトリガ事象を指示する、音響信号、触覚信号、および／または視覚信号であってよい。その後、緊急対応要員は、弱い機械的収縮の心拍出量を高めるために、脱分極に同期した、胸部又は心臓圧迫、又は、別の形態の概して脈動性である循環補助を送出してもよい。
【００２７】
外部刺激装置５６は、心臓刺激機能をマイクロプロセッサ７２によって制御することができるマイクロプロセッサ制御式デバイスとして図２に示される。しかしながら、刺激装置５６は、マイクロプロセッサベースでない他のタイプのパルス発生デバイス、たとえば、専用デジタル又はアナログ回路部のプラットフォームを利用するデバイスとして設けられてもよいことが認識される。ユーザインタフェース６６は、ＶＦ／不全収縮エピソードの開始時間および／またはＣＰＲ又は他の循環補助の持続時間等の患者関連データの入力を可能にしてもよい。こうしたデータは、いつ、どのタイプの一連の電気パルスが送出されるべきかを自動的に選択又は推奨する時に、その時検知された心臓活動と合わせて、刺激装置５６によって使用されてもよい。
【００２８】
代替の実施形態では、本発明に従って心臓蘇生の電気刺激部分を送出する時に使用される心臓刺激デバイスは、埋め込み可能電気刺激デバイスとして提供されてもよい。図３は、埋め込み可能心臓刺激デバイス２１０及び患者の心臓２０８内に配置された関連する心臓リード線２１６の図である。刺激デバイス２１０は、患者の心臓２０８に対して動作可能に配置された１つ又は複数の心臓リード線の近位端を受け入れるコネクタブロック２１２を含む。図３では、右心室リード線２１６は、心臓活動を検知し、比較的低エネルギーのペーシングクラスパルスおよび／または高エネルギーのカーディオバージョン／ディフィブリレーションクラスショックパルスを含むことができる心臓刺激パルスを送出するための電極を位置決めするために使用される。これらの目的のために、右心室（ＲＶ）リード線２１６は、リング電極２２４、任意選択で、電極ヘッド２２８内に伸縮自在に取り付けられる先端電極２２６、ＲＶコイル電極２２０、及び上大静脈（ＳＶＣ）コイル電極２３０を備え、各電極は、リード線２１６の本体内に収容された絶縁導体に結合される。絶縁導体の近位端は、刺激デバイス２１０への電気接続を提供するために、リード線２１６の近位端においてリード線コネクタ２１７によって保持される対応するコネクタ端子に結合される。
【００２９】
電極２２４及び２２６は、一般に、「先端−リング」構成と呼ばれる、心臓活動を検知するか、又は、低エネルギー刺激パルスを送出するための２極対として、又は、一般に、「筐体(can)」又は「ケース」電極と呼ばれる、不関電極として機能するデバイスハウジング２１１を有する単極構成で個々に使用されてもよい。デバイスハウジング２１１はまた、高エネルギー刺激パルスを心房又は心室に送出するために、コイル電極２２０又は２３０の一方又は両方と組み合わせた皮下電極として機能してもよい。
【００３０】
右心腔内で又は右心腔の周りでの、図３に示すＲＶリード線２１６ならびに電極２２４、２２６、２２０、及び２２８の示す位置は、おおよそのものであり、例示に過ぎない。さらに、１つ又は複数の心腔内の特定の部位において刺激又は検知するために提供される先端、リング、キャニスタベース、および／または、コイル電極の他の組み合わせを有する代替のリード線が、本発明と共に使用されてもよいことが認識される。特定の埋め込み可能心臓刺激デバイス及びリード線システムが図３に示されるが、本発明に含まれる方法(methodology)は、心内膜か、心外膜か、又は、冠状静脈洞内に位置決めされた単極、２極、又は多極リード線を含む、単腔、２腔、又は多腔システムにおいて適用されてもよい。本発明は、別法として、電極を心臓内又は心臓上に配置するリード線を採用しないシステムで実施されてもよい。たとえば、左又は右胸筋領域内等の、心臓に対して動作可能な位置にある皮下又は筋肉下に埋め込まれたデバイスは、心臓活動を検出するために電気的に検知し、電気刺激を送出するための、心臓内リード線に基づかない方法を使用することができるであろう。こうしたシステムは、デバイスハウジング内又はデバイスハウジング上に組み込まれた皮下又は筋肉下電極を採用してもよい。
【００３１】
図４は、図３の埋め込み可能心臓刺激デバイスの機能ブロック図である。デバイス２１０は、マイクロプロセッサ２５０、ペーシング出力回路２５２、カーディオバージョン／ディフィブリレーション出力回路２５４、及び刺激タイミング及び制御回路２５６を含み、これらは、制御／データバス２５８によってリンクされる。本発明によれば、デバイス２１０は、心臓蘇生治療の脱分極刺激部分を送出する。一連の脱分極電気刺激パルスは、刺激タイミング及び制御回路２５６の制御下で、ペーシング出力回路２５２および／またはカーディオバージョン／ディフィブリレーション出力回路２５４によって送出されてもよい。デバイス２１０は、心臓に対して動作可能に設置される電極への電気接続のための端子２６０、２６２、２６４、及び２６６を備える。端子２６０及び２６２は、パルス列内で比較的低電圧のペーシングクラスパルスを送出する低電圧ペーシング／検知電極に結合することができる。端子２６４及び２６６は、パルス列内で比較的高電圧のディフィブリレーションクラスパルスを送出する高電圧電極に結合することができる。パルス列の送出を制御するパラメータは、プログラムされるか、又は、マイクロプロセッサ２５０に関連するメモリ内に記憶され、データバス２５８を介して刺激タイミング及び制御回路２５６に伝達される。
【００３２】
デバイス２１０はさらに、当該技術分野で既知の方法に従って、心臓活動を検知し、ペーシング、カーディオバージョン、ディフィブリレーション、および／または、他の心臓刺激治療を送出することが可能であり得る。一般的な検知、ペーシング、及びディフィブリレーション機能は、Keimelに発行された米国特許第５，１１７，８２４号（参照によりその全体が本明細書に援用される）に提供される説明に従って実現されてもよい。
【００３３】
通常、端子２６０及び２６２からの電気信号は、入力ライン２７０及び２７２上で、検知回路２８０に供給される。端子２６０及び２６２は、ペーシングクラス刺激パルスを送出するのに使用される同じ電極対であり得る、検知電極対、たとえば、２極先端−リング対への電気接続を提供し、したがって、端子２６０及び２６２はさらに、図４に示すように、ペーシング出力回路２５２に結合してもよい。心臓信号、たとえば、Ｐ波又はＲ波の検出に応答して、検知回路２８０は、出力ライン２７４上で、ロジック信号を刺激タイミング及び制御回路２５６に供給する。ロジック信号は、刺激パルス送出のタイミングを制御するのに使用される補充間隔をリセットするのに役立つ。検知事象間の間隔は、心調律を検出して分類するのに使用されてもよい。
【００３４】
一般的なペーシング動作によれば、刺激タイミング及び制御回路２５６が、心臓刺激パルスのタイミングを制御するために設定された補充間隔に対応する所定の時間間隔の間、出力ライン２７４上で信号を受け取らない場合、タイミング及び制御回路部２５６は、ペーシング出力回路２５２によるペーシングパルスの生成をトリガするであろう。ライン２７６上のディセーブル信号は、デフォルトの検知回路２８０によるペーシングパルスの検知を防止する。検知回路部２８０の利得はまた、信号ライン２７８上で、刺激タイミング及び制御回路２５６によって制御される。
【００３５】
端子２６４及び２６６は、別のコイル電極および／またはデバイスハウジングと対になった少なくとも１つのコィル電極を一般に含むことになる、高エネルギー刺激電極構成への電気接続を提供する。端子２６４及び２６６は、カーディオバージョン／ディフィブリレーション出力回路２５４に結合し、高エネルギーカーディオバージョン／ディフィブリレーションクラスパルスを送出するのに使用される。
【００３６】
頻脈検出に応答して、検出される頻脈のタイプに従って、マイクロプロセッサ２５０から刺激タイミング及び制御回路２５６内にある療法をロードすることによって、抗頻脈ペーシング治療を、所望の場合には送出してもよい。高電圧カーディオバージョン又はディフィブリレーションショックパルスが必要とされる場合、マイクロプロセッサ２５０は、カーディオバージョン及びディフィブリレーション出力回路２５４を作動する。ディフィブリレーション又はカーディオバージョンパルスの送出のタイミングは、刺激タイミング及び制御回路２５６によって制御される。
【００３７】
埋め込み可能カーディオバータ／ディフィブリレータで使用するための、既知の任意の心室カーディオバージョン又はディフィブリレーションパルス制御回路は、本発明と共に使用可能であってもよい。図示されたデバイスにおいて、カーディオバージョン又はディフィブリレーションパルスの送出は、刺激タイミング及び制御回路２５６の制御下で、制御バス２５８を介してカーディオバージョン／ディフィブリレーション出力回路２５４によって達成される。カーディオバージョン／ディフィブリレーション出力回路２５４は、ショックパルス波形、たとえば、単相か、２相か、又は多相パルスのいずれが送出されるか、パルスの送出にどの電極が関わるか、パルス形状及び傾斜、パルスエネルギー等を決定する。
【００３８】
最新の埋め込み可能カーディオバータ−ディフィブリレータ（ＩＣＤ）では、特定の治療が、医師によって前もってデバイスにプログラム入力され、治療メニューが通常提供される。たとえば、頻脈を最初に検出した場合には、抗頻脈ペーシング治療を選択することができる。頻脈を再び検出した場合には、より攻撃的な抗頻脈ペーシング治療が予定されてもよい。抗頻脈ペーシング治療での繰り返しの試みが失敗する場合、その後、高レベルカーディオバージョンパルス治療が選択されてもよい。現在利用可能なＩＣＤの場合と同様に、細動を終了させるための初期のショック（複数可）の失敗に応答して、ディフィブリレーションショックの振幅は、増分されてもよい。
【００３９】
ディフィブリレーションショック治療が、ＶＦ検出後の最初の１〜２分以内に、単一ショックディフィブリレーション手法を使用してＶＦを洞調律に変換するのに失敗すると、持続性ＶＦ、微細なＶＦ、又は不全収縮が、持続するか、又は、生じる場合がある。本発明による心臓蘇生治療は、処置が成功しなかったＶＦの或る間隔後か、又は、ディフィブリレーション治療が試みられたのに続く微細なＶＦ又は不全収縮の検出によって始動されるようにプログラムされてもよい。したがって、本発明によって提供される心臓蘇生治療は、不整脈治療のプログラム可能なメニュー内に含まれてもよい。
【００４０】
蘇生治療は、低酸素が深刻になってしまう前か、低酸素を転換するために、循環補助が提供された後のいずれかで送出される、一連の刺激パルスの送出を含む。比較的低エネルギーのペーシングクラスパルスおよび／または高エネルギーのディフィブリレーションクラスパルスを含み得る、刺激パルス列は、刺激タイミング及び制御回路２５６の制御下で、ペーシング出力回路２５２及び／又はカーディオバージョン／ディフィブリレーション出力回路２５４によって送出される。パルス列を制御するパラメータは、プログラム可能であってよく、限定はしないが、列に含まれるパルスのタイプ（ペーシングクラス又はディフィブリレーションクラス）、パルス振幅、パルス幅、パルス形状、パルスレート、及びパルス列の持続時間又はパルスの総数を含んでもよい。これらのパラメータは、データバス２５８上で、マイクロプロセッサ２５０から受け取られるデータに従って、刺激タイミング及び制御回路２５６によって適用される。
【００４１】
デバイス２１０はさらに、緊急対応要員に心拍動の発生を指示するために、視覚信号、触覚信号、及び／又は可聴信号（ビープ又はトーン等）等の信号を生成する回路部を含む心臓事象インジケータ２８４を含んでもよい。先に述べたように、一連の脱分極刺激の送出中又は送出後に、内因性又は誘発性の脱分極は、最初、機械的に弱い収縮を伴うことが予想され、弱い収縮は、後続の脱分極と共に強度が増大することになる。胸部又は心臓の圧迫を弱い心拍動と同期させることによって、血行力学的利益が提供される場合がある。したがって、検知回路２８０によって検知される脱分極、又は、ペーシング出力回路２５２又はカーディオバージョン／ディフィブリレーション出力回路２５４によって送出される脱分極パルスによって、マイクロプロセッサ２５０の制御下で、事象インジケータ２８４が、心臓事象の発生を指示する、緊急対応要員によって知覚可能な信号を生成することができる。
【００４２】
こうした信号の生成は、刺激パルス列が始動された後に、自動か、又は、手動でイネーブルされてもよく、それによって、緊急対応要員は、一連のパルス中に、および／または、その後に、弱い機械的収縮によって生じる心拍出量を高めるために、心臓事象に同期した、胸部又は心臓圧迫、又は別の形態の脈動性循環補助を送出することができる。心臓事象インジケータ信号の生成は、正常な心機能がその間に回復すると予想される所定の時間間隔の後に自動的にディセーブルされてもよく、および／または、外部プログラミングデバイスを使用して緊急対応要員によっていつでも手動でディセーブルされてもよい。
【００４３】
一連の脱分極刺激を送出する前に、循環補助によって低酸素を緩和することは、蘇生治療の刺激部分から利益を受けるように、筋細胞に準備させる上で重要である。したがって、循環補助の送出を指示する信号を生成することが可能であるか、又は、血中酸素濃度を検出するためのセンサが、本発明を実施するために提供される埋め込み可能デバイスに含まれてもよい。循環補助の送出及び持続時間、および／または、動脈血酸素飽和の濃度又は変化を検出することによって、埋め込み可能デバイスは、蘇生治療の刺激部分の始動が適切である時を判定することができる。
【００４４】
図５は、蘇生治療の刺激部分が始動されるべき時を判定するために使用されるセンサを含む、埋め込み可能心臓電気刺激デバイスの機能ブロック図である。センサ２９０は、埋め込み可能デバイス２１０のハウジング内、および／または、ハウジング上に含まれてもよく、又は、患者の体内に埋め込まれるが、デバイス２１０の外部にあってもよい。センサ２９０は、センサ２９０によって生成される信号を受け取り、処理するセンサ処理回路２９２に接続される。
【００４５】
センサ２９０は、低酸素の相対レベルを指示するために、血中酸素飽和濃度を検出するために使用される酸素センサとして具体化されてもよい。この実施形態では、センサ２９０は、リード線上に位置決めされ、心臓内又は動脈内の位置に配置されてもよい。こうしたリード線はさらに、心臓刺激又は検知電極を含み、コネクタブロックを介してデバイス２１０に結合してもよい。
【００４６】
血中酸素飽和濃度に関連する信号は、センサ処理回路２９２によって、調節され処理されてもよい。ＣＰＲ又は他の循環補助が、或る期間、たとえば、約１分以上の間送出された後に予想されるような、ＶＦ、微細なＶＦ、又は不全収縮の長期エピソード中の低酸素の転換を、測定された酸素飽和レベルが指示するかどうかを判定する時に使用するために、結果として得られる酸素飽和度データは、マイクロプロセッサ２５０に提供される。以前の低酸素の酸素飽和レベルを超えて、指定された量だけ増加した酸素飽和レベルを検出すると、又は、指定された最小レベルより大きな酸素飽和度を検出すると、蘇生治療の刺激部分は、デバイス２１０によって始動されることができる。
【００４７】
代替の実施形態では、センサ２９０は、循環補助の存在を指示する信号を生成することが可能な機械的センサとして提供されてもよい。一実施形態では、センサ２９０は、ＣＰＲ又は他の循環補助送出中に生じた血圧の増加を検出することが可能な圧力センサとして具体化されてもよい。別の実施形態では、センサ２９０は、手動の、又は、自動化されたＣＰＲ中に送出される胸部圧迫の適用に対応する信号を生成することが可能な加速度計又は圧電センサとして具体化されてもよい。機械的センサの出力は、信号を調節し、処理するためのセンサ処理回路部２９２に提供され、それによって、循環補助の機械的作用に関連するデータがマイクロプロセッサ２５０に提供されることができる。マイクロプロセッサ２５０は、或る持続した時間間隔の循環補助を検出した後、たとえば、約１分後に、蘇生治療の刺激部分を始動することができる。
【００４８】
図６は、本発明の方法による、心臓蘇生を送出する一方法のタイミング図である。ＥＣＧ信号は、最初、長期不全収縮エピソード１００中に実質的に全く心臓活動を示さない。蘇生方法は、ＶＦ、微細なＶＦ、又は不全収縮の長期エピソードに続いて施行することができる。緊急対応要員は、低酸素を緩和するために、１０２において、ＣＰＲ又は別の形態の循環補助を送出し始める。医療等級酸素が利用可能である場合、医療等級酸素の換気は、低酸素状態をより迅速に転換するであろう。ＣＰＲ又は他の循環補助は、蘇生治療の刺激部分を始動する前に、或る期間１０４の間送出される。現在の心臓蘇生技法は、一般に、心停止に続くできる限り迅速なディフィブリレーションショックの施行を強調する。しかしながら、蘇生方法の刺激部分に対する首尾よい応答を達成するために、ＳＥＲＣＡ等のカルシウム処理機能を駆動するために、ＡＴＰが利用可能でなければならないことが予想される。したがって、ＣＰＲ又は別の形態の循環補助は、筋細胞の低酸素を緩和し、カルシウム処理機能のためにＡＴＰを筋細胞に利用可能にするために、或る時間間隔の間、提供される。循環補助を送出する適切な時間間隔は、約１分であってよいが、低酸素の深刻さ及びＶＦ、微細なＶＦ、又は不全収縮エピソードの持続時間に応じて、長くても、短くてもよい。循環補助の持続時間は、１分等の基準時間間隔であるか、又は、血中酸素濃度又はｐＨ等の低酸素の別の生理的インジケータを検知することに基づいてもよい。
【００４９】
循環補助の間隔１０４後に、一連の刺激パルス１０６を送出することによって、蘇生治療の刺激部分が施行される。刺激パルスは、上記図１〜図５関連して述べたデバイス等の、外部デバイス又は埋め込み可能デバイスによって送出されてもよい。刺激パルスは、或る質量の心筋細胞を脱分極させるのに十分高いエネルギーである、比較的低電圧の電気的ペーシングクラスパルスであってよい。パルスは、別法として、高エネルギーの電気的ショックパルスであってよい。パルスは、所定のパルスレート、たとえば、約１Ｈｚのレートで送出される。パルスは、或る時間間隔１０８、たとえば、約１分以上の間、送出される。本発明を任意の特定の理論に限定することを意図することなく、連続する細胞脱分極中のカルシウム流入及びカルシウムポンプの有酸素機能によるそのカルシウムの貯留によって正常ＳＲカルシウム濃度を回復するために、一連の脱分極パルスが必要とされると、現在考えられている。
【００５０】
パルス列１０６が送出された後、正常洞調律１１２の首尾よい回復を検証するために、心臓活動が監視される。場合によっては、不全収縮又は微細なＶＦの長期にわたる状態は、洞調律ではなくＶＦに転換する場合がある。図７は、本発明による、心臓蘇生を送出する代替の方法の間に起こる事象を示すタイミング図である。この例では、或る期間の循環補助１０２の後に送出される一連の低電圧パルス１０６は、パルス１０６の最後のパルスに続いて所定時間間隔１１８後に起こり得るディフィブリレーションパルス１２０によって終了する。長期の、不全収縮又は微細なＶＦ１００が、パルス列１０６によってＶＦ１１６に変換される時、ディフィブリレーションパルス１２０は、ＶＦ１１６を洞調律１２２に変換するために提供される。
【００５１】
首尾よい蘇生治療後に、正常な電気機械結合(electro-mechanical association)が回復するが、内因性レートが徐脈性のままである時、埋め込み可能な、又は、外部の刺激デバイスは、所望の心拍数を維持するために、徐脈ペーシングを送出することができることがさらに認識される。
【００５２】
循環補助１０２の間隔は、図６及び図７のパルス列１０６の開始の前に終了するのが示されるが、循環補助が刺激送出と干渉せず、また、パルス列が、ＣＰＲ又は他の循環補助を送出する緊急対応要員にリスクを課すことになる高電圧電気刺激パルスで構成されない場合、循環補助は、脱分極刺激送出中に、連続して送出されてもよいことが考えられる。循環補助の間隔を、刺激パルスの間隔に散在させてもよいことがさらに考えられる。
【００５３】
蘇生後血行力学的回復を補助するために、一連の刺激パルスが終了した後、或る形態の循環補助がさらに、継続するか、又は、再始動してもよい。一部の実施形態では、心臓血行力学的性能を改善することを対象とする心臓刺激治療は、心拍出量を増加させるために、パルス列後に刺激デバイスによって送出されてもよい。こうした刺激治療は、心臓再同期化治療および／または期外収縮刺激を含むが、それに限定されない。図８は、本発明による、心臓蘇生を実施する方法であって、心臓を首尾よく蘇生させた後、血行力学的機能を改善するために、期外収縮刺激を送出することを含む方法のタイミング図である。
【００５４】
長期の、ＶＦ又は不全収縮エピソード１００は、最初、低酸素を緩和するために、ＣＰＲ１０２又は他の循環補助によって処置される。循環補助の後には、ＳＲカルシウム喪失を緩和すると現在信じられている一連の脱分極刺激パルス１０６が続く。一連のパルス１０６が終了し、洞調律１１２が回復するか、又は、電気機械結合が回復したこと、及び、心拍数が徐脈ペーシングによって維持されることが検証された後、期外収縮後増強作用を達成することによって心臓ポンピング機能を高めるために、期外収縮刺激１４０が送出される。期外収縮後増強の機械的利益を達成するための期外収縮刺激の態様及び利益は、参照によりその全体が本明細書に援用される、Deno他に対するＰＣＴ特許出願公開ＷＯ０３／０２０３６４に記載される。
【００５５】
期外収縮刺激１４０は、検知されたＲ波又は心室ペーシングパルスであってよい、心室事象（ＶＥ）１３４に続いて期外収縮刺激パルス１３６を送出することによって適用されてもよい。期外収縮刺激パルス１４０は、ペーシングされた心周期又は内因性心周期ごとに、又は、より少ない頻度で、たとえば、内因性心拍数又はペーシングされた心拍数の一定の割合で送出されてもよい。図８の例では、期外収縮（ＥＳ）刺激パルス１３６は、期外収縮脱分極１３２を誘発するために、心室事象（ＶＥ）１３４として検知される１つおきのＲ波１３０の後に送出される。期外収縮刺激パルス送出の制御に関するさらなる詳細は、Burnes他による米国特許出願により提供される。
【００５６】
図６、図７、及び図８に示すパルス列１０６は、一定レートで送出される一定パルス振幅のパルスから成ることが示される。パルス列は、異なる、又は、変動するパルスエネルギー又は振幅のパルスから成ってもよく、また、パルス列内で異なる、又は、変動するレートで送出されてもよいことが認識される。正常なＳＲカルシウムレベル及び筋細胞カルシウム処理を回復することを意図して送出される一連のパルスは、正常な心臓活動の最も効果的な回復を提供するために調整されてもよく、正常な心臓活動は、蘇生方法が始まる時に存在する初期心臓活動および／または循環補助と初期パルス列の間隔中又はその後に存在する心臓活動に部分的に依存する場合がある。
【００５７】
一実施形態では、心臓刺激デバイスは、蘇生手技中にＶＦの戻りがあるかを監視し、ＶＦが検出される場合、蘇生治療の刺激部分を変更する。図９は、ペーシングクラスパルスとディフィブリレーションクラスパルスの両方を送出することを含む、心臓蘇生を送出する方法を示すタイミング図である。パルス列１０６が始動された後、不全収縮エピソード１００は、１４２にて、ＶＦに変換される。ＶＦを検出すると、高エネルギーショックパルスが、パルス列内の低エネルギーパルスに代わって送出される。ＶＦを変換し、防止するために、多くの高エネルギーショックパルス１４６が、パルス列内の低エネルギーパルスに置き換わってもよく、又は、パルス列内の全ての残りのパルスが、高エネルギーショックパルスとして送出されてもよい。別法として、又は、付加的に、パルス列は、レートが変動するパルス１４８のシーケンスを含んでもよい。パルス列中か、又は、その後に、ＶＦを変換するか、又は、ＶＦが再開することを防止しようとして、レートが変動するパルス１４８のシーケンスは、遅いレートに徐々に低下する高レートで送出されてもよい。
【００５８】
図９の例では、循環補助１０２は、刺激パルス列１０６の開始前の或る時間間隔１０４の間、提供され、ＶＦ１４２の検出に応答して高電圧ディフィブリレーションクラスパルス１４６が送出されるまで、パルス列の施行中継続する。ＶＦが終了すると、低エネルギーパルス１４８が送出され、循環補助が１０３にて再開する。
【００５９】
図１０は、本発明による心臓蘇生を実施する代替の方法を示すタイミング図である。持続性の、ＶＦ又は微細なＶＦエピソードの細動波は、機械的には有効ではないが、やはりエネルギーを必要とするため、細胞内カルシウムの消耗の一因となる場合がある。ＶＦ又は微細なＶＦの開始後かなり経って送出されるディフィブリレーションショックの結果は、不全収縮となる場合がある。しかしながら、不全収縮へのこの変換は、細動波の生成によるＡＴＰ喪失を減少させる点で有利である場合がある。したがって、図１０では、粗大なＶＦ又は微細なＶＦであってよい、長期ＶＦエピソード１５２は、ＶＦを不全収縮１５６に変換するために、最初に、ディフィブリレーションショック１５４で処置されてもよい。不全収縮１５６が誘発されると、図６に関連して先に述べたように、或る間隔の循環補助１０２が送出され、その後、一連の脱分極パルス１０６が続く。
【００６０】
図１１は、分離された筋細胞標本から得られた実験結果のグラフである。連続して灌流した、分離されたモルモットの筋細胞を、定常状態の機械的反応に達するまで、１Ｈｚの閾上パルスを使用して刺激した。刺激は、１、２．５、５、１０、１５、及び２０分の間隔の間、停止し、その後、１Ｈｚ刺激を再開した。２０分休止期間実験の結果を、図１１のグラフに示す。筋節長が、所定期間にわたってプロットされる。基線定常状態短縮１０が、１Ｈｚ刺激中に確立され、その後、１２において、２０分休止期間が続いた。１４において、１Ｈｚ刺激を再開すると、筋節短縮は、最初は損なわれたが、約１分の持続性の１Ｈｚ刺激の途中で、１６の基線定常状態反応に回復した。そのため、適切な酸素加（oxygenation）の存在下では、２０分間の活動が無い状態の後でも、正常筋細胞短縮の回復を得ることができる。
【００６１】
適当な酸素加があっても２０分間の脱分極が無い状態の後では、かなりの機械的損傷が存在することは重要である。そのため、低酸素は、持続性の、細動又は不全収縮後に起こる電気機械解離（ＥＭＤ）の唯一の原因ではない場合がある。５分以上のより短い休止期間についての結果は、筋細胞短縮が、休止期間後に基線短縮の約１０％に減少し、基線短縮の完全な回復が、約１分の持続性の１Ｈｚ刺激の後に達成された点で、図１１に示す結果と同様であった。機械的損傷は、より小さく、基線短縮に向かう回復は、５分未満の休止時間に続いてより迅速に起こった。これらの結果は、ＳＲカルシウム喪失が、カルシウムの漏れにより無活動の期間の増加と共に増加し、カルシウム貯蔵を補給するために、持続性の一連の脱分極が必要とされるという理論を裏付ける。これらの結果はさらに、低酸素とＳＲカルシウム喪失の両方を転換させる蘇生方法に対する必要性を裏付ける。
【００６２】
もちろん、本発明は、コンピュータ読み取り可能媒体上に記憶された命令として容易に実施され、また、埋め込み可能な、又は、外部の医療デバイスにおいてコンピュータ制御下で実行することができる。コンピュータ読み取り可能媒体は、記憶媒体の、ランダムアクセスバージョン、読み取り専用バージョン、シリアルアクセスバージョン、ダイナミックバージョン、及び消去可能バージョン（たとえば、ＲＡＭ、ＲＯＭ、ＳＡＭ、ＤＲＡＭ、ＥＰＲＯＭ、ＥＥＰＲＯＭ等）等の全ての形態の、現在知られているか、又は、後で開発される磁気記憶媒体、光記憶媒体、及び他の記憶媒体を含む。
【００６３】
こうして、ＶＦ、微細なＶＦ、又は不全収縮の長期エピソード後に、心臓を蘇生する必要性に対処する心臓蘇生方法が述べられた。本発明を実施するための、本明細書に述べる方法及び装置は、特定の実施形態に従って述べられた。これらの実施形態は、添付の特許請求の範囲に関して、例示的であり、制限的でないことが意図される。
【図面の簡単な説明】
【００６４】
【図１】ＶＦ、不全収縮に近いもの、又は不全収縮の長期エピソード後に心臓蘇生治療を送出する方法の概略図である。
【図２】心臓蘇生治療を送出する時に使用することができる、外部刺激デバイスの一実施形態の機能ブロック図である。
【図３】心臓蘇生治療を送出する時に使用することができる、埋め込み可能心臓刺激デバイス及び患者の心臓内に配置された関連する心臓リード線の図である。
【図４】図３の埋め込み可能心臓刺激デバイスの機能ブロック図である。
【図５】蘇生治療の電気刺激部分が始動されるべき時を判定するために使用されるセンサを含む、埋め込み可能心臓刺激デバイスの機能ブロック図である。
【図６】本発明の方法による、心臓蘇生を送出する一方法のタイミング図である。
【図７】本発明による、心臓蘇生を送出する代替の方法の間に起こる事象を示すタイミング図である。
【図８】本発明による、心臓蘇生を実施する方法であって、心臓を首尾よく蘇生させた後、血行力学的機能を改善するために、期外収縮刺激を送出することを含む方法のタイミング図である。
【図９】ペーシングクラスパルスとディフィブリレーションクラスパルスの両方を送出することを含む心臓蘇生を送出する方法を示すタイミング図である。
【図１０】本発明による心臓蘇生を実施する代替の方法を示すタイミング図である。
【図１１】分離された筋細胞標本から得られた実験結果のグラフである。
【図１】
2007503257.tif 000003
【図２】
2007503257.tif 000004
【図３】
2007503257.tif 000005
【図４】
2007503257.tif 000006
【図５】
2007503257.tif 000007
【図６】
2007503257.tif 000008
【図７】
2007503257.tif 000009
【図８】
2007503257.tif 000010
【図９】
2007503257.tif 000011
【図１０】
2007503257.tif 000012
【図１１】
2007503257.tif 000013
【国際調査報告】
2007503257.tif 000014
2007503257.tif 000015
2007503257.tif 000016